【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
ドットを少なくとも大小２段階に変調可能なプリントヘッドを用い、プリント媒体にドット形成位置条件を異ならせた第１および第２プリントにより画像のプリントを行うプリント装置に対し、前記第１および第２プリントでのプリント位置合わせを行うための処理を行うプリント位置合わせ方法であって、
前記大小ドットの少なくとも一方を用いて前記第１プリントおよび第２プリントにより形成されるパターンであって、該第１プリントと該第２プリントとの相対的なプリント位置の複数のずれ量に対応した複数のパターンを前記プリントヘッドに形成させるパターン形成工程と、
当該形成された複数のパターンのそれぞれの前記相対的なプリント位置のずれ量に基づき、前記第１プリントと前記第２プリントとの間のドット形成位置条件の調整値を得る調整値取得工程と、
前記大小ドットのうち少なくとも他方の前記第１および第２プリント間のプリント動作に起因した形成位置のずれ量に対応して、前記調整値を補正する補正工程と、
を具えたことを特徴とするプリント位置合わせ方法。
【請求項２】
前記調整値取得工程は、前記パターン形成工程により形成された前記複数のパターンのそれぞれの光学特性を測定する工程と、当該測定された複数のパターンそれぞれの光学特性に基づいて前記調整値を取得する工程とを有することを特徴とする請求項１に記載のプリント位置合わせ方法。
【請求項３】
前記パターン形成工程および前記調整値取得工程を複数回、異なるドット位置合わせ精度毎に実行させる工程を具えたことを特徴とする請求項１または２に記載のプリント位置合わせ方法。
【請求項４】
前記パターン形成工程および前記調整値取得工程を複数回、異なるドット位置合わせ精度毎に実行させる工程は、前記位置合わせ精度をドット単位の精度で行うための粗調整工程と、１ドット以内の精度で行う微調整工程とを含み、前記粗調整後に前記微調整を行うか、または前記微調整後に前記粗調整を行うことを特徴とする請求項３に記載のプリント位置合わせ方法。
【請求項５】
前記パターン形成工程は、前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成し、前記調整値取得工程は、当該形成された前記複数の第１パターンのそれぞれの光学特性および前記複数の第２パターンのそれぞれの光学特性を測定し、当該測定された前記複数の第１パターンの光学特性の変化特性および前記複数の第２パターンの光学特性の変化特性の交点から、前記第１プリントと前記第２プリントとの間のドット形成位置条件の調整値を得ることを特徴とする請求項２ないし４のいずれかに記載のプリント位置合わせ方法。
【請求項６】
前記調整値取得工程は、前記測定により得られた光学特性データより、直線近似または多項式近似を用いて、連続値を用いた計算により、前記調整値を算出することを特徴とする請求項２ないし５のいずれかに記載のプリント位置合わせ方法。
【請求項７】
前記パターン形成工程では、前記第１プリントによるドットと前記第２プリントによるドットを配し、前記複数のずれ量に対応して前記ドット相互の位置関係を変化させて当該ドットのプリント媒体を覆う比率を変化させることにより、前記ずれ量に応じた光学特性を示す複数のパターンを形成させることを特徴とする請求項１ないし６のいずれかに記載のプリント位置合わせ方法。
【請求項８】
前記第１プリントおよび前記第２プリントは、前記プリントヘッドを前記プリント媒体に対して往復走査させて前記大小ドットをプリントを行う場合のそれぞれ往走査および復走査でのプリントを含むことを特徴とする請求項１ないし７のいずれかに記載のプリント位置合わせ方法。
【請求項９】
所定量の前記ずれ量を境として、前記往走査と復走査とで前記大小ドットの形成順序を制御するとともに、前記補正工程は前記他方のドットの復走査での形成に際して前記ずれ量を反転させた値を前記補正に用いることを特徴とする請求項８に記載のプリント位置合わせ方法。
【請求項１０】
前記ずれ量を算出するための算出工程をさらに具え、
前記プリントヘッドは吐出口からインクを吐出することによりプリントを行うヘッドであり、前記算出工程は前記大小ドットを形成するためのそれぞれのインク吐出速度、前記プリントヘッドをプリント媒体に対して相対的に走査する走査速度、および前記吐出口から前記プリント媒体までの距離から前記算出を行うことを特徴とする請求項１ないし９のいずれかに記載のプリント位置合わせ方法。
【請求項１１】
ドットを少なくとも大小２段階に変調可能なプリントヘッドを用い、プリント媒体にドット形成位置条件を異ならせた第１および第２プリントにより画像のプリントを行うプリント装置であって、
前記大小ドットの少なくとも一方を用いて前記第１プリントおよび第２プリントにより形成されるパターンであって、該第１プリントと該第２プリントとの相対的なプリント位置の複数のずれ量に対応した複数のパターンを前記プリントヘッドに形成させるパターン形成手段と、
当該形成された複数のパターンのそれぞれの前記相対的なプリント位置のずれ量に基づき、前記第１プリントと前記第２プリントとの間のドット形成位置条件の調整値を得る調整値取得手段と、
前記大小ドットのうち少なくとも他方の前記第１および第２プリント間のプリント動作に起因した形成位置のずれ量に対応して、前記調整値を補正する補正手段と、
を具えたことを特徴とするプリント装置。
【請求項１２】
前記調整値取得手段は、前記パターン形成手段により形成された前記複数のパターンのそれぞれの光学特性を測定する手段と、当該測定された複数のパターンそれぞれの光学特性に基づいて前記調整値を取得する手段とを有することを特徴とする請求項１１に記載のプリント装置。
【請求項１３】
前記パターン形成および前記調整値取得を複数回、異なるドット位置合わせ精度毎に実行させる手段を具えたことを特徴とする請求項１１または１２に記載のプリント装置。
【請求項１４】
前記パターン形成および前記調整値取得を複数回、異なるドット位置合わせ精度毎に実行させる手段は、前記位置合わせ精度をドット単位の精度で行うための粗調整手段と、１ドット以内の精度で行う微調整手段とを含み、前記粗調整後に前記微調整を行うか、または前記微調整後に前記粗調整を行うことを特徴とする請求項１３に記載のプリント装置。
【請求項１５】
前記パターン形成手段は、前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成し、前記調整値取得手段は、当該形成された前記複数の第１パターンのそれぞれの光学特性および前記複数の第２パターンのそれぞれの光学特性を測定し、当該測定された前記複数の第１パターンの光学特性の変化特性および前記複数の第２パターンの光学特性の変化特性の交点から、前記第１プリントと前記第２プリントとの間のドット形成位置条件の調整値を得ることを特徴とする請求項１２ないし１４のいずれかに記載のプリント装置。
【請求項１６】
前記調整値取得手段は、前記測定により得られた光学特性データより、直線近似または多項式近似を用いて、連続値を用いた計算により、前記調整値を算出することを特徴とする請求項１２ないし１５のいずれかに記載のプリント装置。
【請求項１７】
前記パターン形成手段では、前記第１プリントによるドットと前記第２プリントによるドットを配し、前記複数のずれ量に対応して前記ドット相互の位置関係を変化させて当該ドットのプリント媒体を覆う比率を変化させることにより、前記ずれ量に応じた光学特性を示す複数のパターンを形成させることを特徴とする請求項１１ないし１６のいずれかに記載のプリント装置。
【請求項１８】
前記第１プリントおよび前記第２プリントは、前記プリントヘッドを前記プリント媒体に対して往復走査させて前記大小ドットをプリントを行う場合のそれぞれ往走査および復走査でのプリントを含むことを特徴とする請求項１１ないし１７のいずれかに記載のプリント装置。
【請求項１９】
所定量の前記ずれ量を境として、前記往走査と復走査とで前記大小ドットの形成順序を制御するとともに、前記補正手段は前記他方のドットの復走査での形成に際して前記ずれ量を反転させた値を前記補正に用いることを特徴とする請求項１８に記載のプリント装置。
【請求項２０】
前記ずれ量を算出するための算出手段をさらに具え、
前記プリントヘッドは吐出口からインクを吐出することによりプリントを行うヘッドであり、前記算出手段は前記大小ドットを形成するためのそれぞれのインク吐出速度、前記プリントヘッドをプリント媒体に対して相対的に走査する走査速度、および前記吐出口から前記プリント媒体までの距離から前記算出を行うことを特徴とする請求項１１ないし１９のいずれかに記載のプリント装置。
【請求項２１】
ドットを少なくとも大小２段階に変調可能なプリントヘッドを用い、プリント媒体にドット形成位置条件を異ならせた第１および第２プリントにより画像のプリントを行うプリント装置と、該プリント装置に対して前記画像のデータを供給するホスト装置とを具備したプリントシステムであって、
前記大小ドットの少なくとも一方を用いて前記第１プリントおよび第２プリントにより形成されるパターンであって、該第１プリントと該第２プリントとの相対的なプリント位置の複数のずれ量に対応した複数のパターンを前記プリントヘッドに形成させるパターン形成手段と、
当該形成された複数のパターンのそれぞれの前記相対的なプリント位置のずれ量に基づき、前記第１プリントと前記第２プリントとの間のドット形成位置条件の調整値を得る調整値取得手段と、
前記大小ドットのうち少なくとも他方の前記第１および第２プリント間のプリント動作に起因した形成位置のずれ量に対応して、前記調整値を補正する補正手段と、
を具えたことを特徴とするプリントシステム。
【手続補正２】
【補正対象書類名】明細書
【補正対象項目名】００３５
【補正方法】変更
【補正の内容】
【００３５】
また、前記パターン形成および前記調整値取得を複数回、異なるドット位置合わせ精度毎に実行させる工程または手段を具えることができる。


【手続補正３】
【補正対象書類名】明細書
【補正対象項目名】００３６
【補正方法】変更
【補正の内容】
【００３６】
ここで、前記パターン形成および前記調整値取得を複数回、異なるドット位置合わせ精度毎に実行させる工程または手段は、前記位置合わせ精度をドット単位の精度で行うための粗調整工程または手段と、１ドット以内の精度で行う微調整工程または手段とを含み、前記粗調整後に前記微調整を行うか、または前記微調整後に前記粗調整を行うことができる。


【手続補正４】
【補正対象書類名】明細書
【補正対象項目名】００４２
【補正方法】変更
【補正の内容】
【００４２】
また、以上において、前記ずれ量を算出するための算出工程または手段を具え、前記プリントヘッドを吐出口からインクを吐出することによりプリントを行うヘッドとし、前記算出工程または手段は前記大小ドットを形成するためのそれぞれのインク吐出速度、前記プリントヘッドをプリント媒体に対して相対的に走査する走査速度、および前記吐出口から前記プリント媒体までの距離から前記算出を行うことができる。


【手続補正５】
【補正対象書類名】明細書
【補正対象項目名】００４３
【補正方法】削除
【補正の内容】